(57)【要約】【課題】ドアの建て付けの悪化に伴うドア閉時のシールリップ先端部のまくれを防止できると共に、ドア閉時に手がシールリップに触れても取付基部のリテーナから外れを防止できるドアウェザーストリップを提供する。【解決手段】ドアウェザーストリップ２２は、車体開口部を開閉するドアの周縁部に取り付けられる取付基部２３と、該取付基部の端部に肉厚な支持部２５を介して設けられて、ドア閉時にルーフパネル２７の段差面２７ｂに弾接して車体開口部をシールするシールリップ２６とを備えている。前記支持部の内部に中空部２８を形成して、支持部の剛性を低くし、ドア閉時におけるシールリップの撓み変形を、剛性が低くなった支持部によって吸収すると共に、支持部の車外側前面にサッシュ部２０とルーフパネル２７との間の隙間を現象させる膨出部２９を形成した。【選択図】　図１
2004136755.tif 000002
【特許請求の範囲】
【請求項１】
車体開口部を開閉するドアの周縁部に取り付けられる取付基部と、該取付基部の端部に支持部を介して設けられて、ドア閉時に車体パネルに弾接して車体開口部をシールするシールリップとを備えたドアウェザーストリップにおいて、
前記支持部の内部に中空部を形成したことを特徴とするドアウェザーストリップ構造。
【請求項２】
前記支持部の車内側背面に、前記中空部を介して支持部を屈曲変形可能とする屈曲手段を設けたことを特徴とする請求項１に記載のドアウェザーストリップ。
【請求項３】
前記支持部の車外側前面の前記シールリップ側寄りに膨出部を形成したことを特徴とする請求項１または２に記載のドアウェザーストリップ。
【発明の詳細な説明】
【０００１】
【発明の属する技術分野】
本発明は、例えば自動車の車体開口部を開閉するドアの周縁部に取り付けられたドアウェザーストリップの改良に関する。
【０００２】
【従来の技術】
この種の従来のドアウェザーストリップとしては、以下のような中空シール部を備えたものが提供されている。
【０００３】
概略を説明すれば、図７及び図８に示すように自動車のフロントドア１やリアドア２の各ドア本体１ａ、２ａの上端部には、サッシュ部３，４が一体に設けられ、この各サッシュ部３，４の外周側にドアウェザーストリップ５、６がそれぞれ取り付けられている（図８中斜線部）。
【０００４】
便宜上、フロント側のものについて説明すれば、このドアウェザーストリップ５は、図７に示すように、サッシュ部４の外周部に横断面ほぼコ字形状に形成されたリテーナ７に取り付けられた取付基部８と、該取付基部８の車内側端部に一体に設けられた中空シール部９と、取付基部８の車外側端部に肉厚な支持部１０を介して設けられたシールリップ１１とから構成されている。
【０００５】
前記シールリップ１１は、ほぼく字形状に折曲形成されて、支持部１０側の比較的肉厚で剛性の高い基端部１１ａと、該基端部１１ａの先端側に折曲形成された先端部１１ｂと、該先端部１１ｂの外側面に設けられた突起部１１ｃとからなり、ドア２の閉時に、前記先端部１１ｂと突起部１１ｃが車体パネルであるルーフパネル１２の段差面１２ａに当接して車体開口部をシールするようになっている。
【０００６】
そして、前記突起部１１ｃが前記段差面１２ａに接触することにより、く字形状の屈曲部１１ｄを中心として先端部１１ｂを屈曲変形させて、ドア１の閉状態でのシールリップ１１のドア開方向に対するリップ角度θを小さくするようになっている。
【０００７】
これによって、ドア１の開時におけるシールリップ１１の反転力が小さくなって、シリコンなどを塗布せずとも反転現象が防止されて、ドアの開閉を円滑にできるようになっている。
【０００８】
【特許文献１】特開２０００−２５５２６７号公報
【０００９】
【発明が解決しようとする課題】
しかしながら、前記従来のドアウェザーストリップ５にあっては、ドア２の建て付けのばらつきなどに起因してドア１全体がルーフパネル１２側へ持ち上がってしまった場合に、ドア２の閉時にシールリップ１１の先端部１１ｂが段差面１２ａにさらに強く圧接して、基端部１１ａ側へさらに大きく変形しまう。この結果、シールリップ先端部１１ｂの内方へのいわゆるまくれ現象が発生して、シール性能の低下を招くおそれがある。
【００１０】
また、支持部１０やシールリップ１１の基端部１１ａの剛性が比較的大きいことから、ドア２の開状態から閉作動を行う際に、手がシールリップ１１等に触れると取付基部８がサッシュ部４のリテーナ７から容易に外れてしまうおそれもある。
【００１１】
本発明は、ドア閉時に、シールリップに強い圧接力が掛かってもまくれを防止してシール性能の低下を防止できると共に、ドア閉時に手がシールリップに触れても取付基部がリテーナから外れることのないドアウェザーストリップを提供することを目的としている。
【００１２】
【課題を解決するための手段】
本発明は、前記従来のドアウェザーストリップの実状に鑑みて案出されたもので、請求項１記載の発明は、車体開口部を開閉するドアの周縁部に取り付けられる取付基部と、該取付基部の端部に支持部を介して設けられて、ドア閉時に車体パネルに弾接して車体開口部をシールするシールリップとを備えたドアウェザーストリップにおいて、前記支持部の内部に中空部を形成したことを特徴としている。
【００１３】
この発明によれば、支持部が中空部によって周囲の剛性が低くなっていることから、ドアの建て付けにばらつきが生じてルーフ側へ位置がずれている場合においては、ドアを閉じた際に、シールリップの先端部が、例えば車体パネルであるルーフパネルの当接面に当接して支持部側の基端部から車内側へ変形しようとすると、剛性の低い支持部からシールリップ全体が撓み変形してシールリップの基端部に掛かる力がここで吸収された形になる。このため、シールリップの先端部が前記ルーフパネルの当接面に強く圧接することがなくなることから、該先端部のまくれ現象の発生が防止される。
【００１４】
また、例えばドアの開状態から閉方向へ移動させようとした際に、手がシールリップに触れて外側に力が加わると、剛性の低い支持部が撓み変形して取付基部への入力が抑制され、リテーナからの外れを防止できる。
【００１５】
請求項２に記載の発明は、前記支持部の車内側背面に、前記中空部を介して支持部を屈曲変形可能とする屈曲手段を設けたことを特徴としている。
【００１６】
この発明によれば、支持部に例えばノッチなどの屈曲手段を設けたことから、該支持部が中空部の作用と相俟って撓み変形し易くなり、前述のような、まくれ現象や不用意な外れなどを効果的に防止することができる。
【００１７】
請求項３に記載の発明は、前記支持部の車外側前面の前記シールリップ側寄りに膨出部を形成したことを特徴としている。
【００１８】
この発明によれば、ドアの閉状態時にシールリップの中央部位が車内方向へ移動したとしても、膨出部の存在によって、例えばルーフパネルとサッシュ部との間の隙間を減少させることができるので、外観上の見映えの悪化を防止できる。
【００１９】
【発明の実施の形態】
以下、本発明にかかるドアウェザーストリップの実施形態を図面に基づいて詳述する。なお、ドアウェザーストリップとして、本実施形態も、前記従来の技術と同様に自動車のサッシュ型ドアに取り付けられたものに適用したものを示している。
【００２０】
すなわち、図１及び図２に示すように、自動車のフロントドアやリアドアの各ドア本体の上端部には、ロールフォーミングによって成形されたサッシュ部２０が設けられており、このサッシュ部２０の外周側に有する横断面ほぼコ字形状のリテーナ２１に、長尺なドアウェザーストリップ２２が取り付けられている。
【００２１】
このドアウェザーストリップ２２は、スポンジゴムによって押出成形によって連続一体に形成され、図１に示すように、内周側の板状の基端部２３ａが前記リテーナ２１の内部に嵌合保持され、かつ内部に中空部２３ｂが形成された取付基部２３と、該取付基部２３の車内側端部である車内側片２３ｃに一体に設けられた中空シール部２４と、取付基部２３の車外側端部である車外側片２３ｄに支持部２５を介して一体に設けられたシールリップ２６とから主として構成されている。
【００２２】
前記取付基部２３の中空部２３ｂは、ドアの閉時に前記中空シール部２４が車体パネルであるルーフパネル２７の車内側端面２７ａに当接して圧縮変形した際に、中空シール部２４の内方への撓み変形を許容して入力荷重を吸収するようになっている。また、前記車外側片２３ｄの外面には、前記サッシュ部２０の外周側内面に突出形成された突起部２０ａに嵌合する嵌合凹部２３ｅが形成されている。
【００２３】
前記支持部２５は、図１に示すように、比較的肉厚に形成され、内部に中空部２８が形成されていると共に、図中下部外面に前記車外側片２３ｄと連続する突部２５ａが設けられている。また、支持部２５は、車外側前面の前記シールリップ２６側に膨出部２９が一体に設けられている。この膨出部２９は、シールリップ２６側へほぼ上り傾斜状に形成されて、サッシュ部２０の外周縁から外方へ露出した状態に形成されている。
【００２４】
前記シールリップ２６は、支持部２５の端部から連続して形成された基端部２６ａが比較的薄肉に形成されて、ここから先端部２６ｂ側が折曲可能になっている。またシールリップ２６の先端部２６ｂは、比較的肉厚に形成されて、ドア閉時には、図３に示すように、先端縁外面２６ｃがルーフパネル２７の車内側端面２７ａよりも車外側に位置する段差に折曲された段差面２７ｂに当接するようになっている。
【００２５】
したがって、この実施形態によれば、サッシュ部２０にドアウェザーストリップ２２が取り付けられた後に、ドアを閉じると、図３に示すように中空シール部２４がルーフパネル２７の車内側端面２７ａに当接し、その反力によって中空部２３ｂ方向へ潰れ変形してシール性能を発揮する。と同時にシールリップ２６の先端部２６ｂの外面２６ｃが段差面２７ｂに当接して基端部２６ａを中心に内方へ折曲変形して段差面２７ｂに弾接し、これによってシール性能を発揮する。
【００２６】
そして、例えば、ドアの建て付けにばらつきが生じて、ドア全体が上方へ位置ずれしてルーフパネル２７側へ僅かに偏っている場合には、ドアを閉じた際に、前述のように、シールリップ２６の先端部２６ｂが、ルーフパネル２７の段差面２７ｂに当接して基端部２６ａから車内側へ変形しようとするが、このとき、サッシュ部２０とルーフパネル２７との距離が短いため、図４に示すように、中空部２８によって剛性が低くなっている支持部２５からシールリップ２６全体が撓み変形してシールリップ２６の基端部２６ａに掛かる力がここで吸収された形になる。このため、シールリップ先端部２６ｂが前記ルーフパネル７の段差面２７ｂに強く圧接することがなくなることから、該先端部２６ｂのまくれ現象の発生を効果的に防止することが可能になる。
【００２７】
また、例えばドアの開状態から閉方向へ移動させようとした際に、図２に示すように、手がシールリップ２６に触れて、車内方向（図中矢印方向）に力が加わると、剛性の低い支持部２５が撓み変形して取付基部２３側への入力伝達が防止される。このため、取付基部２３がリテーナ２１から不用意に外れることがなくなる。
【００２８】
また、前述のように、ドアの閉状態時にシールリップ２６の基端部２６ａが屈曲変形して車内方向へ移動したとしても、膨出部２９の存在によって、ルーフパネル２７とサッシュ部２０との間の大きな隙間の発生を抑制することができる。
【００２９】
すなわち、前記ドアの閉時には、シールリップ２６の先端部２６ｂが段差面２７ｂに当接して、基端部２６ａ付近が車内側に変形移動して、前記ルーフパネル２７とサッシュ部２０との間に大きな隙間が形成されて、この隙間Ｃによってドア２付近の外観上の見映えが悪化するおそれがあるが、前記膨出部２９によって前記隙間が埋められる形になることから、外観上の見映えの悪化を防止することができる。
【００３０】
図５は本発明の第２の実施形態を示し、支持部２５の車内側背面に、屈曲手段である屈曲部３０を形成したものである。この屈曲部３０は、ほぼＶ字形状に形成され、支持部２５が中空部２８を介して車内方向へ屈曲する際の補助的な機能を発揮するようになっている。
【００３１】
したがって、この実施形態によれば、前述のように、ドアの閉時にシールリップ２６が段差面２７ｂに当接することにより支持部２５が中空部２８を介して車内方向へ撓み変形しようとすると、該支持部２５は中空部２８の作用と相俟って屈曲部３０から屈曲変形し易くなる。これによって、前述のような、まくれ現象や不用意な外れをさらに効果的に防止することができる。
【００３２】
図６は第３の実施形態を示し、屈曲手段の構造を変更したものであって、前記屈曲部に代えて、支持部２５の車内側背面に凹溝が切欠形成された、いわゆるノッチ部３１としたものである。
【００３３】
したがって、この実施形態も第２の実施形態と同様な作用効果が得られると共に、凹溝に形成されていることから、屈曲性がさらに良好になる。
【００３４】
本発明は、前記実施形態の構成に限定されるものではなく、ドアウェザーストリップ２２は、必ずしもサッシュ部２０に取り付けられるものに限定されずに、ドア本体に取り付けられるものに適用することが可能である。
【００３５】
【発明の効果】
以上の説明で明らかなように、請求項１記載の発明によれば、支持部の中空部によって、シールリップの先端部が車体パネルの当接面に強く圧接することがなくなることから、該先端部のまくれ現象の発生が防止される。
【００３６】
また、例えばドアを閉方向へ移動させようとした際に、手がシールリップに触れて外側に力が加わると、剛性の低い支持部が撓み変形して取付基部への入力が抑制されることから、該取付基部が不用意にリテーナから外れるのを防止できる。
【００３７】
請求項２に記載の発明によれば、支持部に屈曲手段を設けたことから、該支持部が中空部の作用と相俟って撓み変形し易くなり、前述のような、まくれ現象や外れなどを効果的に防止することができる。
【００３８】
請求項３に記載の発明によれば、膨出部の存在によって、例えばルーフパネルとサッシュ部との間の隙間を減少させることができるので、外観上の見映えの悪化を防止できる。
【図面の簡単な説明】
【図１】本発明にかかるドアウェザーストリップをサッシュ型ドアに適用した第１実施形態を示す横断面図である。
【図２】本実施形態の作用を示すドアウェザーストリップの横断面図である。
【図３】本実施形態の作用を示すドアウェザーストリップの横断面図である。
【図４】本実施形態の作用を示すドアウェザーストリップの横断面図である。
【図５】第２の実施形態を示すドアウェザーストリップの横断面図である。
【図６】第３の実施形態を示すドアウェザーストリップの横断面図である。
【図７】図８のＡ−Ａ線断面図である。
【図８】従来及び本発明が適用された自動車の側面図である。
【符号の説明】
２０…サッシュ部
２１…リテーナ
２２…ドアウェザーストリップ
２３…取付基部
２５…支持部
２６…シールリップ
２７…ルーフパネル（車体パネル）
２８…中空部
２９…膨出部
３０…屈曲部（屈曲手段）
３１…ノッチ部（屈曲手段）
【図１】
2004136755.tif 000003
【図２】
2004136755.tif 000004
【図３】
2004136755.tif 000005
【図４】
2004136755.tif 000006
【図５】
2004136755.tif 000007
【図６】
2004136755.tif 000008
【図７】
2004136755.tif 000009
【図８】
2004136755.tif 000010